(57)【要約】【課題】  従来の組合せレンズは、レンズ群の光軸の精度がレンズ保持枠の精度に依存していたため、極めて高精度のレンズ保持枠や製造治具が必要になり、生産性が悪く、不経済である。【解決手段】  互いの光軸ＣＬを一致させて２枚のレンズ２６＜２７を重ね合わせた後、２枚のレンズの接合部の外周縁の３箇所に、隣り合う接着点同士が連結しないように周方向に適宜な間隔をあけて接着剤３３を塗布し、複数箇所に塗布された接着剤によって２枚のレンズを接合する。【選択図】  図２  
2006023668.tif 000002
【特許請求の範囲】
【請求項１】
互いの光軸を一致させて２枚のレンズを重ね合わせた後、前記２枚のレンズの接合部の外周縁の複数箇所に、隣り合う接着点同士が連結しないように周方向に適宜な間隔をあけて接着剤を塗布し、複数箇所に塗布された接着剤によって２枚のレンズを接合することを特徴とする組合せレンズの製造方法。
【請求項２】
前記２枚のレンズは、互いの接合部が線接触により接合されると共に内部に空間部が形成される曲面をそれぞれ有し、前記接合部の外周縁を２Ｎ（Ｎ＝２，３，４，‥‥）に分割して、その分割点の一つおきに前記接着剤を塗布することを特徴とする請求項１記載の組合せレンズの製造方法。
【請求項３】
前記２枚のレンズのうち、一方の曲面は所定の曲率半径を持つ凹面からなり、他方の曲面は前記凹面の曲率半径よりも大きな曲率半径を有する凸面からなり、前記凹面と前記凸面との接合部が円形の線接触部であることを特徴とする請求項２記載の組合せレンズの製造方法。
【請求項４】
互いの光軸を一致させて重ね合わされた２枚のレンズを備え、
前記２枚のレンズは、互いの接合部の外周縁の複数箇所を、隣り合う接着点同士が連結しないように周方向に適宜な間隔をあけて塗布された接着剤によって接合したことを特徴とする組合せレンズ。
【請求項５】
前記２枚のレンズは、互いの接合部が線接触により接合されると共に内部に空隙部が形成される曲面をそれぞれ有し、前記接合部の外周縁を２Ｎ（Ｎ＝２，３，４，‥‥）に分割した当該分割点の一つおきに前記接着剤を塗布して接合したことを特徴とする請求項４記載の組合せレンズ。
【請求項６】
前記２枚のレンズのうち、第１のレンズの前記接合部の曲面は所定の曲率半径を持つ凹面からなり、第２のレンズの前記接合部の曲面は前記凹面の曲率半径よりも大きな曲率半径を有する凸面からなり、前記凹面と前記凸面との接合部が円形の線接触部であることを特徴とする請求項５記載の組合せレンズ。
【発明の詳細な説明】
【技術分野】
【０００１】
本発明は、複数枚のレンズを重ね合わせて隣り合うレンズ間を接着剤で接合した組合せレンズの製造方法及び、その製造方法により製造される組合せレンズに関するものである。
【背景技術】
【０００２】
従来の、この種の組合せレンズとしては、例えば、特許文献１に記載されているようなものがある。特許文献１には、カメラのズームレンズにおいて、１つの群を構成する複数のレンズとこれらレンズを一体に保持するレンズ枠とから構成されるレンズ構造、及びレンズ枠単体に関するものが記載されている。このレンズ構造は、「第１のレンズおよび第２のレンズと、前記第１のレンズを保持する第１レンズ保持部および、前記第１のレンズと前記第２のレンズを当接させた状態で前記第２のレンズを保持する第２レンズ保持部とが形成された筒状のレンズ枠と、前記第１のレンズの、前記第２のレンズと当接する面の反対側の面の周縁部に弾性的に接触する、前記レンズ枠から前記第１のレンズの光軸側に突出して形成された弾性部と、前記レンズ枠の前記第１レンズ保持部と前記第２レンズ保持部の間にあって、前記第２のレンズの周縁部を当接させて前記第２のレンズの位置決めを行なうための位置決め突起と、前記第２のレンズの、前記第１のレンズと当接する面の反対側の面の周縁部に当接し、前記第２のレンズを前記第１のレンズ側に押圧しつつ支持する支持部を有する」ことを特徴としている。
【０００３】
このような構成を有するレンズ構造によれば、「樹脂レンズとガラスレンズとを同一の側からレンズ枠に組み付けることにより一端側のレンズ固定手段をレンズ枠に一体に形成することができ、これらを両側から組み付ける場合と比較して部品点数、組み付け工数を削減することができる」という効果が期待される。
【０００４】
また、従来の他の組合せレンズとしては、例えば、特許文献２に記載されているようなものもある。特許文献２には、光学部品（レンズ）を保持枠に高精度に取り付けることのできるレンズ保持枠とその保持方法に関するものが記載されている。このレンズ保持枠は、「レンズ保持枠がレンズの胴付け部を持たず、かつ芯取りされないレンズを装着するとともに、レンズ保持部と該レンズ径との間に所定の隙間を有している」ことを特徴としている。
【０００５】
このような構成を有するレンズ保持枠によれば、「レンズ及びレンズ保持枠のレンズレンズ保持部に部品精度を要しないで、低コストでできる。」という効果が期待される。
【特許文献１】特開平８−２１９３８号公報（第３頁、図１）
【特許文献２】特開平１１−７２６７８号公報（第３頁、図３）
【０００６】
しかしながら、上述したような従来の組合せレンズにおいては、特許文献１及び２のいずれに記載された発明の場合にも、２つのレンズがレンズ保持枠に対して個別に位置決めされており、そのレンズ群の光軸の精度が、熱可塑性樹脂で形成されたレンズ保持枠の精度に依存されていた。そのため、レンズ組立後のレンズ群における光軸のズレが発生し易く、組合せレンズの光軸精度を高精度に保持することが難しいという課題があった。
【０００７】
また、特許文献１に記載された発明の場合には、第１のレンズの物体側面（第１の面）の外周縁に接触する部分が、熱可塑性樹脂で形成されたレンズ保持枠の弾性部であることから、長期間の使用による経年変形や、温度変化によるクリープ変形が避けられない構造となっていた。そのため、例えば、弾性部の弾性力が弱い場合には、レンズ保持枠のクリープ変形によって２つのレンズが剥がれて接触しなくなり、所望の光学性能が得られなくなるという課題があった。一方、弾性部の弾性力が強い場合には、第１のレンズの第１の面の歪が大きくなって光学性能が劣化したり、クリープ変形に起因して第２のレンズとレンズ保持枠との間に隙間が生じ、同じく所望の光学性能が得られなくなるという課題があった。
【発明の開示】
【発明が解決しようとする課題】
【０００８】
解決しようとする問題点は、従来の組合せレンズでは、レンズ群の光軸の精度がレンズ保持枠の精度に依存していたため、極めて高精度のレンズ保持枠や製造治具が必要になり、生産性が悪く、不経済であるという点である。
【課題を解決するための手段】
【０００９】
本発明の請求項１記載の組合せレンズの製造方法は、互いの光軸を一致させて２枚のレンズを重ね合わせた後、２枚のレンズの接合部の外周縁の複数箇所に、隣り合う接着点同士が連結しないように周方向に適宜な間隔をあけて接着剤を塗布し、複数箇所に塗布された接着剤によって２枚のレンズを接合することを最も主要な特徴とする。
【００１０】
本発明の請求項２記載の組合せレンズの製造方法は、２枚のレンズは、互いの接合部が線接触により接合されると共に内部に空間部が形成される曲面をそれぞれ有し、接合部の外周縁を２Ｎ（Ｎ＝２，３，４，‥‥）に分割して、その分割点の一つおきに接着剤を塗布することを特徴とする。
【００１１】
本発明の請求項３記載の組合せレンズの製造方法は、２枚のレンズのうち、一方の曲面は所定の曲率半径を持つ凹面からなり、他方の曲面は凹面の曲率半径よりも大きな曲率半径を有する凸面からなり、その凹面と凸面との接合部が円形の線接触部であることを特徴としている。
【００１２】
本発明の請求項４記載の組合せレンズは、互いの光軸を一致させて重ね合わされた２枚のレンズを備え、２枚のレンズは、互いの接合部の外周縁の複数箇所を、隣り合う接着点同士が連結しないように周方向に適宜な間隔をあけて塗布された接着剤によって接合したことを特徴としている。
【００１３】
本発明の請求項５記載の組合せレンズは、２枚のレンズは、互いの接合部が線接触により接合されると共に内部に空隙部が形成される曲面をそれぞれ有し、接合部の外周縁を２Ｎ（Ｎ＝２，３，４，‥‥）に分割したその分割点の一つおきに接着剤を塗布して接合したことを特徴としている。
【００１４】
また、本発明の請求項６記載の組合せレンズは、２枚のレンズのうち、第１のレンズの接合部の曲面は所定の曲率半径を持つ凹面からなり、第２のレンズの接合部の曲面は凹面の曲率半径よりも大きな曲率半径を有する凸面からなり、その凹面と凸面との接合部が円形の線接触部であることを特徴としている。
【発明の効果】
【００１５】
本発明の請求項１記載の組合せレンズの製造方法によれば、２枚のレンズを重ね合わせてその接合部の外周縁の複数箇所に接着剤を塗布して接合する際に、その接着部の間隔を、塗布した接着剤が回り込んで隣り合う接着部同士が連結しないように設定することにより、レンズ群の光軸の精度をレンズ保持枠に依存することなく、互いの光軸を一致させてレンズ同士を直接に連結し、２枚のレンズ間において光軸に歪が起き難く、複数枚のレンズを接着剤でしっかりと接合して固定することができ、光軸が一致した精度の高い組合せレンズを比較的容易に製造することができる。
【００１６】
本発明の請求項２記載の組合せレンズの製造方法によれば、２枚のレンズの接合部を、その内部に空間部が形成される曲面で形成すると共に、その接合部の外周縁を２Ｎ（Ｎ＝２，３，４，‥‥）に分割し、その分割点の一つおきに接着剤を塗布することにより、比較的簡単な構成の安価な治具を用いて２枚のレンズを精度よく位置決めすることができ、その位置精度を保持して接着剤でしっかりと接合し、光軸が一致した精度の高い組合せレンズを製造することができる。
【００１７】
本発明の請求項３記載の組合せレンズの製造方法によれば、２枚のレンズのうち、一方の曲面を凹面とすると共に他方の曲面を凸面として、その接合部を円形の線接触部とすることにより、比較的簡単な構成の安価な治具を用いて２枚のレンズを精度よく位置決めすることができ、光軸が一致した精度の高い組合せレンズを製造するために効果的に寄与することができる。
【００１８】
本発明の請求項４記載の組合せレンズによれば、２枚のレンズを重ね合わせてその接合部の外周縁の複数箇所に接着剤を塗布して接合する際に、その接着部の間隔を、塗布した接着剤が回り込んで隣り合う接着部同士が連結しないように構成することにより、レンズ群の光軸の精度をレンズ保持枠に依存することなく、互いの光軸を一致させてレンズ同士を直接に接合し、２枚のレンズ間において光軸に歪が起き難く、複数枚のレンズを接着剤でしっかりと接合して固定することができ、光軸が一致した精度の高い組合せレンズを提供することができる。
【００１９】
本発明の請求項５記載の組合せレンズによれば、２枚のレンズの接合部を、その内部に空間部が形成される曲面で形成し、その接合部の外周縁を２Ｎ（Ｎ＝２，３，４，‥‥）に分割してその分割点の一つおきに接着剤を塗布することにより、比較的簡単な構成の安価な治具を用いて２枚のレンズを精度よく位置決めすることができ、その位置精度を保持して接着剤でしっかりと接合し、光軸が一致した精度の高い組合せレンズを提供することができる。
【００２０】
また、本発明の請求項６記載の組合せレンズによれば、２枚のレンズのうち、一方の曲面を凹面とすると共に他方の曲面を凸面として、その接合部を円形の線接触部に構成することにより、比較的簡単な構成の安価な治具を用いて２枚のレンズを精度よく位置決めすることができ、光軸が一致した精度の高い組合せレンズを提供するために効果的に寄与することができる。
【発明を実施するための最良の形態】
【００２１】
レンズ群の光軸の精度をレンズ保持枠に依存することなく、互いの光軸を一致させてレンズ同士を直接に接合し、２枚のレンズ間において光軸に歪が起き難く、複数枚のレンズを接着剤でしっかりと接合して固定することができ、光軸が一致した精度の高い組合せレンズを製造し、提供することができる。
【実施例１】
【００２２】
以下、本発明の実施の形態を、添付図面を参照して説明する。図１〜図５は、本発明に係る組合せレンズ及びその製造方法の形態の例を説明するものである。即ち、図１は本発明に係る組合せレンズの構成の一実施例を断面して示す説明図、図２は図１の要部を拡大して示す説明図、図３は図２の要部を拡大して示す説明図、図４は図１に示す組合せレンズの製造に用いられる治具の概略構成を示す説明図、図５は図４に示す治具を用いて図１の組合せのレンズを製造する工程を示す説明図である。
【００２３】
まず、図１〜図３を参照して、本発明に係る組合せレンズの一実施例の構成について説明する。図１は、本発明に係る組合せレンズ１を、その光軸方向である縦方向に断面した状態を示すもので、レンズ保持枠である１個のレンズ鏡筒２と、このレンズ鏡筒２に固定又は移動可能に保持された４組のレンズ群３，４，５及び６と、撮像手段の一具体例を示すＣＣＤ（固体撮像素子）７とを備えて構成されている。
【００２４】
レンズ鏡筒２は、全体が筒状に形成された部材からなり、その内部の軸方向の中途部には、１組のレンズ群を固定して保持するホルダ部８が形成されている。ホルダ部８には、３枚のレンズの組み合わせからなる第２固定レンズ群５が保持されている。また、レンズ鏡筒２の被写体側の端部には第１固定レンズ群３が配置され、その第１固定レンズ群３と第２固定レンズ群５との間に第１可動レンズ群４が配置されている。レンズ鏡筒２の被写体と反対側である撮像側の端部にはＣＣＤ７が配置され、そのＣＣＤ７と第２固定レンズ群５との間に第２可動レンズ群６が配置されている。４組のレンズ群３〜６は、互いの光軸が１つの光軸上に一致するよう同一光軸上に設定されていて、その光軸上の後方にＣＣＤ７の撮像面の略中央部が位置するように設定されている。
【００２５】
第１固定レンズ群３は、３枚のレンズ１０，１１及び１２の組み合わせからなり、第１レンズホルダ１４に固定されている。第１レンズホルダ１４は、３枚のレンズ１０〜１２を固定して保持するリング状をなす保持部１４ａと、この保持部１４ａの外周面から半径方向外側へ張り出すように一体に設けた固定部１４ｂとを有している。第１レンズホルダ１４はレンズ鏡筒２の被写体側に配置され、その端部と固定部１４ｂとの間にはリング状をなすスペーサ１５が介在されている。このスペーサ１５を介して第１レンズホルダ１４が、図示しない固定ネジ等の固着手段によってレンズ鏡筒２に着脱可能に固定されている。
【００２６】
第１可動レンズ群４は、３枚のレンズ１７，１８及び１９の組み合わせからなり、第２レンズホルダ２０に固定されている。第２レンズホルダ２０は、３枚のレンズ１７〜１９を固定して保持するリング状をなす保持部２０ａと、この保持部２０ａの外周面から半径方向外側へ張り出すように一体に設けたアーム部２０ｂとを有している。第２レンズホルダ２０は、図示しないレンズ移動機構により組合せレンズ１の光軸ＣＬに沿って進退移動可能に構成されている。この移動機構で進退動作される第１可動レンズ群４によってズームレンズが構成されており、第１可動レンズ群４が被写体側である第１固定レンズ群３に近づく方向へ移動すると望遠となり、その逆に撮像側である第２固定レンズ群５に近づく方向へ移動すると広角となる。
【００２７】
第２可動レンズ群６は、１枚のレンズ２２から構成されており、第３レンズホルダ２３に固定されている。第３レンズホルダ２３は、レンズ２２を固定して保持するリング状をなす保持部２３ａと、この保持部２３ａの外周面から半径方向外側へ張り出すように一体に設けたアーム部２３ｂとを有している。第３レンズホルダ２３は、図示しないレンズ移動機構により組合せレンズ１の光軸ＣＬに沿って進退移動可能に構成されている。この移動機構で進退動作される第２可動レンズ群６によってフォーカスレンズが構成されており、被写体までの距離に応じて第１可動レンズ群４が、第２固定レンズ群５とＣＣＤ７との間を所定範囲内で移動自在とされている。
【００２８】
ＣＣＤ７は、その結像面７ａの略中央部が組合せレンズ１の光軸ＣＬと一致するように配置されている。このＣＣＤ７の結像面７ａの前面は、カバーガラス７ｂによって保護されている。
【００２９】
第２固定レンズ群５は、３枚のレンズ２５，２６及び２７の組み合わせからなり、レンズ鏡筒２に設けたホルダ部８に固定されている。図２に拡大して示すように、３枚のレンズ２５〜２７は光軸ＣＬ方向に３層に重ね合わされており、それぞれ隣り合うレンズ間が接着剤により接合されて一体的に構成されている。そして、第１のレンズ２５のみがホルダ部８に固定されていて、第２のレンズ２６と第３のレンズ２７とはホルダ部８の内面に非接触の状態とされている。
【００３０】
ホルダ部８は、第２固定レンズ群５を収納可能な円筒状の筒体部８ａと、この筒体部８ａの外周面から半径方向外側へ展開され且つその外縁がレンズ鏡筒２の内周面に連続された支持部８ｂとを有している。ホルダ部８の筒体部８ａにおける軸方向の一端には、半径方向内側に膨出された内フランジ状の遮蔽部９ａが設けられている。この遮蔽部９ａは、レンズ鏡筒２の内部で乱反射された光が第２固定レンズ群５内に入り込むのを防止するものである。
【００３１】
また、筒体部８ａの軸方向の他端には、第２固定レンズ群５をホルダ部８に保持するためのカシメ部９ｂが設けられている。カシメ部９ｂは、周方向の全周に渡って連続されたリング状の薄肉部からなっているが、周方向に適当な長さで間欠的に形成された複数のカシメ片によって形成してもよい。このカシメ部９ｂに対応して筒体部８ａの内部には、第１のレンズ２５の結像側の面２５ｂが当接される段部８ｃが設けられている。前記カシメ部９ｂをカシメて段部８ｃとの間で第１のレンズ２５の外周縁を挟持することにより、第２固定レンズ群５がホルダ部８に嵌合固定されている。
【００３２】
第２固定レンズ群５の第１のレンズ２５は、被写体側の光学有効面である第１の面２５ａと、結像側の光学有効面である第２の面２５ｂとは共に凸面とされている。第２のレンズ２６は、被写体側の光学有効面である第１の面２６ａと、結像側の光学有効面である第２の面２６ｂとは共に凹面とされている。また、第３のレンズ２７は、被写体側の光学有効面である第１の面２７ａと、結像側の光学有効面である第２の面２７ｂとは共に凸面とされている。第１のレンズ２５の直径は、他のレンズ２６，２７の直径よりも大きく形成されていて、第２のレンズ２６と第３のレンズ２７の直径は略同様の大きさに設定されている。
【００３３】
第１のレンズ２５の第２の面２５ｂと第２のレンズ２６の第１の面２６ａとは、互いに対応した凹面と凸面とからなっており、その全面に塗布された図示しない接着剤により接合され、その全面が密着された状態で固定されている。第２のレンズ２６の第２の面２６ｂの曲率半径は、第３のレンズ２７の第１の面２７ａの曲率半径よりも小さく設定されている。
【００３４】
更に、図３において更に拡大して示すように、第２のレンズ２６の第２の面２６ｂの半径方向外側には、光軸ＣＬと直交する方向にリング状に展開された結像側端面２６ｃが形成されている。そして、この結像側端面２６ｃと外周面２６ｄとが交わる角部には、適当な大きさの結像側の面取り部２８が形成されている。また、第３のレンズ２７の第１の面２７ａと外周面２７ｃとが交わる角部には被写体側の面取り部２９ａが形成されている。そして、第３のレンズ２７の第２の面２７ｂと外周面２７ｃとが交わる角部には結像側の面取り部２９ｂが形成されている。
【００３５】
このような形状を有する第２のレンズ２６の第２の面２６ｂに第３のレンズ２７の第１の面２７ａが対向されており、これにより両面２６ｂ，２７ａの接触部は、円形に線接触された円形線接触部となっている。即ち、第２のレンズ２６の結像側の面には、第２の面２６ｂと結像側端面２６ｃとが交わる接合端部３０が円形に形成されており、この接合端部３０が第３のレンズ２７の第１の面２７ａに円形に線接触されている。そして、第２の面２６ｂの曲率半径と第１の面２７ａの曲率半径とが異なるために、両面２６ｂ，２７ａの間には断面三日月形の空間部３２が形成されている。
【００３６】
この第２のレンズ２６と第３のレンズ２７の接合部（円形線接触部）の外側に、周方向に適宜な間隔をあけて接着剤３３を塗布し、その接着剤３３によって第３のレンズ２７を第２のレンズ２６に接合して固定するようにする。この第２のレンズ２６と第３のレンズ２７を接合する接着剤３３は、隣り合う接着点に塗布された接着剤３３同士が連結しないように周方向に適宜な間隔をあけて複数箇所に塗布するようにする。即ち、ある箇所に塗布した接着剤が、両レンズ２６，２７間の隙間を伝って周方向に回り込み、隣に塗布した接着剤３３と連結しないように、その成分、粘性等を適宜に選択して用いるようにする。
【００３７】
このような使用に好適な接着剤３３としては、例えば、紫外線硬化性樹脂接着剤を挙げることができる。しかしながら、シリコン樹脂接着剤、エポキシ樹脂接着剤その他の接着剤を用いることができることは勿論である。なお、この接着剤によって接合されるレンズ２５〜２７の材質としては、プラスチック製レンズであっても良く、また、ガラスレンズであってもよいことは勿論である。また、レンズ鏡筒２の材質としては、例えば、ＰＣ（ポリカーボネート）を挙げることができるが、その他のエンジニアリングプラスチックは勿論のこと、アルミニウム合金等の金属材料や木材等を用いることもできる。
【００３８】
２枚のレンズ間における接着剤３３を塗布する箇所は、少なくとも２箇所である必要があり、一般的には３箇所が好ましく、レンズの直径が大きい場合には４箇所以上に設定するようにする。この接着剤３３の塗布箇所及びその数の具体的な決定方法としては、例えば、接合部の外周縁を２Ｎ（Ｎは２以上の整数とする、Ｎ＝２，３，４，‥‥）に分割し、その分割点の一つおきに接着剤３３を塗布するようにする方法が好適である。
【００３９】
この際、使用する接着剤３３の材質や粘性等を考慮して、その接着剤３３がレンズ間の隙間に沿って回り込むことがなく、隣の塗布点に塗布された接着剤３３と連結することがないようにする。この接着剤３３間の連結を防ぐ理由は、２つのレンズ２６，２７間に形成された空間部３２と外部との通気性を保持することにより、レンズ間に歪みが起き難く、しっかりしたレンズ間の固定を可能にするためである。
【００４０】
このような構成を有する３枚のレンズが接着剤で接合された第２固定レンズ群５は、例えば、図４に示すような治具を用いることによって容易に製造することができる。図４には、本発明に係る組合せレンズの製造治具４０の要部が現されている。この製造治具４０は、基準面や基準位置を設定するベースプレート４１と、このベースプレート４１の上面の略中央部に設定されたレンズ受け台４２と、このレンズ受け台４２に保持された加工対象物であるレンズを側方から支持して所定位置に位置決めする３つの押え爪４３，４４及び４５と、レンズ受け台４２に保持されたレンズを上方から押圧して第３のレンズ２７を第２のレンズ２６に密着させるレンズ押し具４６等を備えて構成されている。
【００４１】
レンズ受け台４２は、３層に重ね合わされた３枚のレンズ２５〜２７を下方から支えて所定の高さ位置に保持するものである。このレンズ受け台４２は、円筒体の上端に３つの支持爪４７（４７ａ，４７ｂ，４７ｃ）が一体に設けられた形態をなしており、隣り合う支持爪４７の間から３つの押え爪４３〜４５がそれぞれ１つずつ出入り可能な構成とされている。これに対応して３つの押え爪４３〜４５は、隣り合う支持爪４７間の対応する位置に配置されている。
【００４２】
即ち、第１押え爪４３は第１支持爪４７ａと第２支持爪４７ｂとの間に対向するように配置され、第２押え爪４４は第２支持爪４７ｂと第３支持爪４７ｃとの間に対向するように配置され、更に第３押え爪４５は第３支持爪４７ｃと第１支持爪４７ａとの間に対向するように配置されている。そして、３つの押え爪４３〜４５には、３枚のレンズ２５〜２７のうち最上層に位置する第３レンズ２７を側方から押圧する位置決め部４８ａと、最下層に位置する第１レンズ２５を側方から押圧して基準位置を決定する基準面部４８ｂとがそれぞれ設けられている。
【００４３】
このような構成を有する第１押え爪４３と第２押え爪４４とは、それぞれ平面形状がＬ字形となるように形成されており、互いの凹側を内側に対向させて第１スライドリンク５０の先端部に固定されている。第１スライドリンク５０は、レンズ受け台４２に対して進退移動可能に構成されている。この第１スライドリンク５０が所定位置まで前進すると、２つの押え爪４３，４４がそれぞれに対応した支持爪４７間の隙間内に入り込む。これにより、３つの支持爪４７ａ〜４７ｃによって下方から支持されている３つのレンズ２５〜２７のうち、第３レンズ２７の側面を２つの位置決め部４８ａで押圧し、第１レンズ２５の側面を２つの基準面部４８ｂで押圧する。
【００４４】
第３押え爪４５は、第１及び第２押え爪４３，４４と対向する位置に配置され、第２スライドリンク５１の先端部に固定されている。第２スライドリンク５１は、第１スライドリンク５０の反対側においてレンズ受け台４２に対して進退移動可能に構成されている。この第２スライドリンク５１が所定位置まで前進すると、押え爪４５がその対応した支持爪４７間の隙間内に入り込む。これにより、３つの支持爪４７ａ〜４７cで下方から支持されている３つのレンズ２５〜２７のうち、第３レンズ２７の側面を１つの位置決め部４８ａで押圧し、第１レンズ２５の側面を１つの基準面部４８ｂで押圧する。
【００４５】
レンズ押し具４６は、第３のレンズ２７の直径よりも少し小さな直径を有するリング状の部材からなり、旋回アーム５５の先端部において下向きに取り付けられている。旋回アーム５５の基端部には回動軸５６が固定されており、その回動軸５６が、ベースプレート４１に固定された軸受５７により所定の角度範囲を回動自在であって、軸方向へ適当な距離だけ移動可能に支持されている。これにより旋回アーム５５は、ベースプレート４１の上方において、レンズ受け台４２の真上となるセット位置と、そのレンズ受け台４２から離れるオフセット位置との間の所定角度範囲を水平方向へ回動可能とされている。そして、セット位置において回動軸５６を軸方向へ移動することにより、レンズ押し具４６がレンズに対して接近し又は離反するようになっている。
【００４６】
更に、図４には図示しないが図５に示すように、３つの押え爪４３〜４５の隣り合う押え爪の間には、接着剤を塗布するための３台の接着剤塗布装置（ディスペンサー）６０，６１及び６２と、塗布された接着剤を硬化させるための３台の紫外線照射装置６４，６５及び６６とが配設されている。接着剤塗布装置６０〜６２は、接着剤が充填される注射器本体のような本体部６３ａと、その本体部６３ａの先端に取り付けられた注射針のようなノズル部６３ｂとを備えて構成されている。各接着剤塗布装置６０〜６２は、加工対象物であるレンズのセット位置に対して接近及び離反可能なように移動自在に構成されている。そして、前進動作の先端において、ノズル部６３ｂの先端が第２レンズ２６と第３レンズ２７の接合部の外周縁に接触し、これにより所定量の接着剤３３を塗布するようになっている（図５Ｄを参照）。
【００４７】
紫外線照射装置６４〜６６は、紫外線ランプ等の紫外線の放射部を有する本体部６７ａと、その本体部６７ａと図示しない電源とを接続する光ファイバ６７ｂとを備えて構成されている。各紫外線照射装置６４〜６６は、同じく前記セット位置に対して接近及び離反可能なように移動自在に構成されている。そして、各接着剤塗布装置６０〜６２が接着剤３３を塗布して後退移動した後、所定位置まで前進して接着剤３３に紫外線を照射し、塗布された接着剤３３を硬化させて２つのレンズを強固に接合させる。
【００４８】
このような構成を有する製造治具４０を用いることにより、前述したような構成を有する３枚のレンズ２５〜２７の組み合わせからなる第２固定レンズ群５を容易に製造することができる。この第２固定レンズ群５の製造工程を、図５を参照して説明する。
【００４９】
図５Ａは、製造治具４０のレンズ受け台４２に第１レンズ２５と第２レンズ２６を載置した状態を示すものである。この場合、第１レンズ２５と第２レンズ２６は、予め接着剤により接合されて一体化されている。このレンズ受け台４２に支持された第２レンズ２６の上に第３レンズ２７を載置する。この状態が、図５Ｂに示すものである。
【００５０】
次に、２つのスライドリンク５０，５１を共に前進させることにより、３つの押え爪４３〜４５でレンズ受け台４２上に載置された３枚のレンズ２５〜２７の外周面を３方から挟持する。このとき、３枚のレンズ２５〜２７は、３つの押え爪４３〜４５の３つの基準面部４８ｂによって第１レンズ２５の外周面が挟持され、３つの位置決め部４８ａによって第３レンズ２７の外周面が挟持される。これと同時に、又は前後して、レンズ押え具４６を第３レンズ２７の上方に移動し、そのレンズ押え具４６で最上層に位置する第３レンズ２７を下方に押圧する。この状態が、図５Ｃ１及びＣ２に示す状態である。これにより３枚のレンズは、互いの光軸が一致（完全に一致する場合のみならず、一致すると見ることができる略一致した状態を含むものとする。）される。
【００５１】
この光軸が一致した状態を保持して、次に、図５Ｄに示すように、３台の接着剤塗布装置６０〜６２で、第２レンズ２６と第３レンズ２７との接合部の外周縁の所定位置に、所定量の接着剤３３を塗布する。その後、図５Ｅに示すように、３台の紫外線照射装置６４〜６６で、前記接合部の所定位置に塗布された接着剤３３に紫外線を照射し、その接着剤３３を硬化させる。この紫外線照射によって接着剤３３がしっかり硬化することにより、第２固定レンズ群５の接合工程が完了し、３つのレンズ２５〜２７の光軸が互いに一致した第２固定レンズ群５が製造される。
【００５２】
その後、第１及び第２スライドリンク５０，５１の作動を介して３つの押え爪４３〜４５を後退移動する。その結果、３つの押え爪４３〜４５による第２固定レンズ群５の保持力が解除され、図５Ｆに示すように、第２固定レンズ群５の取出し動作が可能な状態となる。このようにして製造される第２固定レンズ群５が、前記レンズ鏡筒２のホルダ部８に装着されている。
【００５３】
なお、この実施例では、第２レンズ２６と第３レンズ２７との接合部を３点で接着する例について説明したが、接着剤の塗布箇所は２箇所でもよく、また、４箇所以上であってもよいものである。これらの場合に、接着剤の塗布箇所の数に対応させて、それと同数の押え爪、接着剤塗布装置及び紫外線照射装置を設けることが好ましい。しかしながら、本発明はこれに限定されるものではなく、特に、接着剤塗布装置及び紫外線照射装置においては、それぞれ１台以上を備えていれば、本発明の目的を達成できるものである。
【００５４】
また、接着剤で接合される２つのレンズの形状は、前記実施例の第２レンズ２６と第３レンズ２７の場合に限定されるものではなく、例えば、第２レンズ２６の両面を凸面にする一方、第３レンズ２７の両面を凹面にしてもよく、その他各種の面形状を適用できることは勿論である。更に、本願発明は、第１固定レンズ群３や第１可動レンズ群４の製造等にも適用できるものである。
【００５５】
このように、本願発明によれば、複数のレンズの光軸を比較的簡単に一致させて接合することができ、その結像性能を向上できると共に、光軸精度の高い組合せレンズを製造することができる。また、レンズとレンズの間にスペーサを介在させる従来方法に比べると、そのスペーサが不要な分だけ製造コストを下げることができる。更に、ベルクランプの原理を用いた従来のレンズ固定治具を用いる場合と比較して、製造治具を安価に作製することができ、そのため製品コストのダウンを図ることができる。
【産業上の利用可能性】
【００５６】
以上説明したが、本願発明は前記実施例に限定されるものではなく、例えば、前記実施例においてはインナーフォーカス方式のレンズ装置に適用した例について説明したが、２枚以上のレンズを組み合わせて組合せレンズを構成する各種のレンズ装置に適用できることは勿論である。また、本願発明の組合せレンズは、電子スチルカメラ（デジタルカメラ）、ビデオカメラ、カメラ付きパーソナルコンピュータ、ＰＤＡ等の各種撮像装置に適用できることは勿論である。このように、本願発明は、その要旨を変更しない範囲で各種の変更実施が可能である。
【図面の簡単な説明】
【００５７】
【図１】本発明の組合せレンズの一実施例を用いたレンズ装置を断面して示す説明図である。
【図２】図１に示すレンズ装置に用いた組合せレンズの要部を拡大した説明図である。
【図３】図２に示す組合せレンズのレンズ同士の接合部を拡大した説明図である。
【図４】図１に示すレンズ装置に用いた組合せレンズを製造するための製造治具の一実施例の概略構成を説明するための説明図である。
【図５】図１に示すレンズ装置に用いた組合せレンズの製造工程を説明するための説明図である。
【符号の説明】
【００５８】
１‥組合せレンズ、  ２‥レンズ鏡筒（レンズ保持枠）、  ５‥固定レンズ群、  ７‥ＣＣＤ（固体撮像素子）、  ８‥ホルダ部、  ２５，２６，２７‥レンズ、  ２５ａ，２６ａ，２７ａ‥第１の面、  ２５ｂ，２６ｂ，２７ｂ‥第２の面、  ２６ｄ，２７ｃ‥外周面、  ２８，２９ａ，２９ｂ‥面取り部、  ３２‥空間部、  ３３‥接着剤、  ４０‥製造治具、  ４２‥レンズ受け台、  ４３，４４，４５‥押え爪、  ４６‥レンズ押し具、  ４７，４７ａ，４７ｂ，４７ｃ‥支持爪、  ４８ａ‥位置決め部、  ４８ｂ‥基準面部、  ５０，５１‥スライドリンク、  ５５‥旋回アーム、  ６０，６１，６２‥接着剤塗布装置、  ６４，６５，６６‥紫外線照射装置、  ＣＬ‥光軸
【図１】
2006023668.tif 000003
【図２】
2006023668.tif 000004
【図３】
2006023668.tif 000005
【図４】
2006023668.tif 000006
【図５】
2006023668.tif 000007